(57)【特許請求の範囲】
【請求項１】
建造物に用いられる柱構造体であって、
縦方向に延在する一対の縦弦材と、これら縦弦材間に架け渡される複数の斜材とを備えてなり、
一対の前記縦弦材は、上下の梁の長手方向に間隔をあけて配置されており、
一対の前記縦弦材の上端部同士は、水平方向に延在する連結材にて連結され、
一対の前記縦弦材の下端部同士は、水平方向に延在する連結材にて連結されており、
前記斜材は、丸型パイプにて構成されており、
前記斜材の端部には、上下一対のスリットが形成され、
上側の前記スリットの先端部の真下に下側の前記スリットの先端部が位置するように、上側の前記スリットの奥行き寸法は、下側の前記スリットの奥行き寸法と異なっており、
前記縦弦材には、ガセットプレートが設けられており、
前記ガセットプレートを前記スリットに挿入して溶接することで、前記斜材が前記縦弦材に接合されている
ことを特徴とする柱構造体。
【請求項２】
前記縦弦材は、Ｈ形鋼にて構成されており、そのフランジ面に前記斜材が接合されている
ことを特徴とする請求項１に記載の柱構造体。
【請求項３】
前記斜材の内部には、弾性発泡体が充填されている
ことを特徴とする請求項１または請求項２に記載の柱構造体。
【発明の詳細な説明】
【技術分野】
【０００１】
本発明は、建造物に用いられる柱構造体に関する。
【背景技術】
【０００２】
鉄骨造や鉄骨鉄筋コンクリート造の建造物に用いられる柱は、従来、Ｈ形鋼や角パイプ材などを単独で利用するのが一般的であったが、トラスを柱として利用することもあった（例えば、特許文献１参照）。トラスを柱に利用すれば、軽量で強い剛性を発揮することができる。
【先行技術文献】
【特許文献】
【０００３】
【特許文献１】特開２００２−３２７４９２号公報
【発明の概要】
【発明が解決しようとする課題】
【０００４】
従来のトラス柱では、斜材に溝形鋼や山形鋼が用いられていたが、溝形鋼や山形鋼では、応力が作用する方向によって剛性が変わるので、構造計算を行う際には、最も弱い部分を基準にしなければならず、これによって全体の板厚を厚くする必要があり、重量化およびコストアップを招いてしまう問題があった。
【０００５】
そこで、本発明は、前記の問題を解決するためになされたものであり、軽量で剛性の高い柱構造体を提供することを課題とする。
【課題を解決するための手段】
【０００６】
前記課題を解決するための本発明は、建造物に用いられる柱構造体であって、縦方向に延在する一対の縦弦材と、これら縦弦材間に架け渡される複数の斜材とを備えてなり、一対の前記縦弦材は、上下の梁の長手方向に間隔をあけて配置されており、一対の前記縦弦材の上端部同士は、水平方向に延在する連結材にて連結され、一対の前記縦弦材の下端部同士は、水平方向に延在する連結材にて連結されており、前記斜材は、丸型パイプにて構成されており、前記斜材の端部には、上下一対のスリットが形成され、上側の前記スリットの先端部の真下に下側の前記スリットの先端部が位置するように、上側の前記スリットの奥行き寸法は、下側の前記スリットの奥行き寸法と異なっており、前記縦弦材には、ガセットプレートが設けられており、前記ガセットプレートを前記スリットに挿入して溶接することで、前記斜材が前記縦弦材に接合されていることを特徴とする柱構造体である。
【０００７】
このように、斜材が丸型パイプであれば、外周面のどの方向から応力が作用しても剛性が一定であるので、板厚が必要以上に厚くなる部分がないので、必要最小限の板厚にすることができ、柱構造体の軽量化と高剛性化を同時に図れる。さらに、斜材の端部にスリットが形成され、縦弦材にはガセットプレートが設けられており、ガセットプレートをスリットに挿入して溶接することで、溶接長を確保することができ、固定強度を高められる。
【０００８】
請求項２に係る発明は、前記縦弦材が、Ｈ形鋼にて構成されており、そのフランジ面に前記斜材が接合されていることを特徴とする。
【０００９】
このように、縦弦材をＨ形鋼にて構成してＦＡランクの幅厚比のものを選択すれば、構造計算上有利になり、高層建築物にも適用可能となる。
【００１２】
請求項４に係る発明は、前記斜材の内部には、弾性発泡体が充填されていることを特徴とする。
【００１３】
このような構成によれば、斜材の長手方向に沿って伝わる音の振動の伝達を抑制できるので、柱の上下方向において、防音効果を得ることができる。
【発明の効果】
【００１４】
本発明に係る柱構造体によれば、軽量化と高剛性化を同時に達成できるといった優れた効果を発揮する。
【図面の簡単な説明】
【００１５】
【図１】本発明の実施形態に係る柱構造体の設置状態を示した側面図である。
【図２】本発明の実施形態に係る柱構造体の設置状態を示した斜視図である。
【図３】本発明の実施形態に係る柱構造体の斜材と縦弦材との接合状態を説明するための分解斜視図である。
【発明を実施するための形態】
【００１６】
本発明の実施形態について図面を参照して詳細に説明する。本実施形態に係る柱構造体は、鉄骨造の建造物に適用され、骨組の一部として使用される。
【００１７】
図１および図２に示すように、本実施形態に係る柱構造体１は、縦方向に延在する一対の縦弦材１０と、これら弦材間に架け渡される複数の斜材２０，２０…とを備えてなる。柱構造体１は、その下端が、下階の梁２の上面（または基礎（図示せず）の上面）に連結され、上端が上階の梁３の下面に連結されている。
【００１８】
縦弦材１０は、Ｈ形鋼にて構成されており、垂直に配置されている。Ｈ形鋼は、幅厚比がＦＡランクのものを選択する。一対の縦弦材１０，１０は、互いに平行になっており、一方のフランジ面１１が隣り合う縦弦材１０に対向するように配置されている。縦弦材１０の上端および下端には、ベースプレート１３，１３がそれぞれ溶接されている。下端のベースプレート１３は、下階の梁２の上フランジ２ａに当接して、ボルト１４およびナット１５にて固定されている。上端のベースプレート１３は、上階の梁３の下フランジ３ａに当接して、ボルト１４およびナット１５にて固定されている。
【００１９】
互いに対向するフランジ面１１には、斜材２０を接合するためのガセットプレート１２が、直交して突出するように設けられている。ガセットプレート１２は、複数設けられており、斜材２０の取付位置ごとに配置されている。ガセットプレート１２は、矩形形状を呈しており、一本または二本の斜材２０を接合可能な高さ寸法（縦長さ）と突出寸法（横長さ）を有している。複数のガセットプレート１２のうち、上端および下端に配置されるガセットプレート１２が一本の斜材２０を接合可能な高さ寸法を有し、それらの間に配置されるガセットプレート１２が二本の斜材２０を接合可能な高さ寸法を有している（図１参照）。ガセットプレート１２は、フランジ面１１の幅方向中央に溶接固定されている（図２参照）。
【００２０】
斜材２０は、鋼製の丸型パイプにて構成されている。斜材２０は、縦弦材１０のフランジ面１１に、ガセットプレート１２を介して接合されている。斜材２０の両端は、軸方向に対して直角な端面になるように切断されている。斜材２０の端部には、スリット２１が形成されている。スリット２１は、ガセットプレート１２が挿通可能な幅寸法（ガセットプレート１２の厚さ寸法より若干大きい寸法）を有している。スリット２１は、斜材２０の端部の外周縁部で、互いに対向する二箇所に形成されている。スリット２１は、斜材２０を取付角度に傾斜させてガセットプレート１２に取り付けた状態で、外周縁部の上側と下側に位置する。スリット２１の奥行き寸法は、上側のスリット２１と下側のスリット２１とで異なっており、斜材２０を取付角度に傾斜させてガセットプレート１２に取り付けた状態で、上側のスリット２１の先端部の真下に下側のスリット２１の先端部が位置するようになっている。つまり、斜材２０を取付角度に傾斜させたときに、斜材２０の下端部になる側では、上側のスリット２１の奥行き寸法が、下側のスリット２１の奥行き寸法よりも長くなっており、斜材２０の上端部になる側では、上側のスリット２１の奥行き寸法が、下側のスリット２１の奥行き寸法よりも短くなっている。
【００２１】
斜材２０は、スリット２１，２１にガセットプレート１２を挿通させて、スリット２１の内周面とガセットプレート１２の表面とが付き合わされた部分を溶接することで、ガセットプレート１２に接合されている。溶接は、スリット２１の内周面の全周に渡って施されている。斜材２０の内部には、弾性発泡体（図示せず）が充填されている。弾性発泡体は、断熱性能および遮音性能を有している。弾性発泡体は、斜材２０を縦弦材１０に溶接固定した後に、斜材２０の一端の開口を塞いだ状態で他方の開口から注入して充填するようになっている。
【００２２】
柱構造体１の上端部と下端部には、鋼製の丸型パイプにて構成された連結材３０が設けられている。連結材３０は、水平方向に延在して、縦弦材１０，１０間の距離を保持するスペーサの役目を果たしている。連結材３０の両端は、軸方向に対して直角な端面になるように切断されている。連結材３０は、縦弦材１０のフランジ面１１に直角に当接して、端面の全周に渡って溶接固定されている。なお、本実施形態では、連結材３０の端面をフランジ面１１に直接溶接固定しているが、斜材２０と同様に、スリットを形成して、ブラケットを介して固定するようにしてもよい。
【００２３】
このような構成の柱構造体１によれば、斜材２０を丸型パイプで構成しているので、斜材の外周面のどの方向から応力が作用しても剛性が一定であるので、板厚が必要以上に厚くなる部分がなく必要最小限の板厚にすることができる。これによって、柱構造体の軽量化と高剛性化を同時に達成することができる。
【００２４】
また、縦弦材１０をＨ形鋼にて構成してＦＡランクの幅厚比のものを選択しているので、構造計算上有利になり、高層建築物にも適用可能となる。
【００２５】
さらに、斜材２０の端部にスリット２１を形成し、ガセットプレート１２をスリット２１に挿入して溶接することで、溶接長を長く確保することができ、固定強度を高められる。また、スリット２１によって溶接長を確保しているので、溶接長を確保するためだけに斜材２０の径を大きくする必要がなく、部材の大型化を防ぐことができる。
【００２６】
また、斜材２０の内部に弾性発泡体を充填したことによって、斜材２０の長手方向に沿って伝わる音の振動の伝達を抑制できるので、柱の上下方向において、防音効果を得ることができ、上階と下階の間で騒音が伝わるのを抑制できる。
【００２７】
以上、本発明を実施するための形態について説明したが、本発明は前記実施の形態に限定されず、本発明の趣旨を逸脱しない範囲で適宜設計変更が可能である。例えば、前記実施形態では、梁２，３を通し梁として、その間に柱構造体１を接合しているが、これに限定されるものではなく、柱構造体１を通し柱として、その側部に梁を接合するようにしてもよい。
【００２８】
また、前記実施形態では、縦弦材１０をＨ形鋼にて構成しているが、これに限定されるものではなく、必要な剛性を有していれば、他の形状の形鋼であってもよいし、鋼管であってもよい。
【符号の説明】
【００２９】
１      柱構造体
１０    縦弦材
１１    フランジ面
１２    ガセットプレート
２０    斜材
２１    スリット
【図１】
0005774979.tif 000002
【図２】
0005774979.tif 000003
【図３】
0005774979.tif 000004